(57)【特許請求の範囲】
【請求項１】
第１コーナー部と、該第１コーナー部と一体に形成され且つこれと直交する第２コーナー部および第３コーナー部を有し、前記各コーナー部は、内板、中板および外板を備え、また、第１および第２コーナー部は側板を備えたコーナーパッドであって、
前記コーナーパッドは、１枚の段ボール基材で成形されており、第１コーナー部の中板、第２コーナー部の内板、側板、外板および中板の列と、第３コーナー部の内板、中板および外板、第１コーナー部の外板、側板および内板の列とから構成され、
第１コーナー部の中板および第２コーナー部の内板と、第３コーナー部の内板および中板が離間され、第２コーナー部の外板および中板と、第３コーナー部の外板および第１コーナー部の外板が一体にされ、第１コーナー部の側板および内板が外板から突出するように形成され、また、第２コーナー部の外板と中板の境界は切れ目により切断されており、
第１コーナー部の中板と第２コーナー部の内板との境界には、第１ハーフカット部が形成され、第３コーナー部の内板と中板の境界には、第２ハーフカット部が形成され、
第２コーナー部の内板と側板の境界には第１折曲部が形成され、側板と外板の境界には第２折曲部が形成され、第２コーナー部の外板および中板と第３コーナー部の外板および第１コーナー部の外板の境界には第３折曲部が形成され、第３コーナー部の中板と外板の境界には第４折曲部が形成され、外板と第１コーナー部の外板の境界には第５折曲部が形成され、外板と側板との境界には第６折曲部が形成され、側板と内板の境界には第７折曲部が形成され、
第１コーナー部の中板、第２コーナー部の内板および側板と、第３コーナー部の内板および中板の間には、段ボール基材の３枚分の厚みに相当する幅で第１切欠部が形成され、また、第１コーナー部の中板と第２コーナー部の内板間の第１ハーフカット部から内板側で第１切欠部側に、段ボール基材の２枚分の厚みに相当する幅で係止溝が形成され、さらに、第１コーナー部の内板には、第２コーナー部の中板側で側板から内板の端部を残すようにして、段ボール基材の２枚分の厚みに相当する幅で第２切欠部が形成され、これにより内板の端部に前記係止溝に嵌合される係止片が形成されていることを特徴とするコーナーパッド。
【請求項２】
前記内板、中板および外板に折曲順序を数字で表示したことを特徴とする請求項１記載のコーナーパッド。
【請求項３】
前記内板、中板および外板に折曲部位を矢印で表示したことを特徴とする請求項２記載のコーナーパッド。
【発明の詳細な説明】
【０００１】
【発明の属する技術分野】
本発明は、被包装物のコーナー部に装着されて梱包され、梱包状態の被包装物の輸送時等における振動を緩衝して被包装物を衝撃や機械的圧力等から保護するためのコーナーパッドに関する。
【０００２】
【従来の技術】
この種のコーナーパッドとしては、発泡スチロール製のものや、段ボール製のものが使用されているが、発泡スチロール製のコーナーパッドは、リサイクルの問題や廃棄処理の問題があり、近年は廃止の方向にある。一方、段ボール製のコーナーパッドは、リサイクル性に優れるため、近年多用化されているが、緩衝性と強度を高めるために、複数枚の段ボールを積層して多層構造にする必要がある。この場合、３面当接構造を得るために、段ボールを複数枚重ねて接着したり、ステッパーやテープ等で固定する作業が必要なため、組立てが面倒で生産性が悪いという問題を有していた。
【０００３】
この問題を解決するために、実用新案登録第３０７３３０２号においては、１枚の段ボール基材を折り曲げ組立てて形成することができ、組立てが簡単で生産性に優れ、且つ十分な緩衝性と強度を有するコーナーパッドを提案している。
【０００４】
【発明が解決しようとする課題】
しかしながら、上記の実用新案登録第３０７３３０２号においては、コーナーパッドを４層構造にし組立て性を上げるために、３つの係合凸部と、これに係合される３つの掛止孔部を設けているため、組立てが面倒で生産性が悪いという問題を有している。また、折り曲げ箇所が非常に多いため、未熟者にとっては組立てに慣れるまで時間が要するという問題を有している。
【０００５】
本発明は、上記従来の問題を解決するものであって、誰でもが１枚の段ボール基材を折り曲げて簡単に組立てることができ、かつ且つ十分な緩衝性と強度を有するコーナーパッドを提供することを目的とする。
【０００６】
【課題を解決するための手段】
上記の目的を達成するために、本発明のコーナーパッドは、第１コーナー部２と、該第１コーナー部と一体に形成され且つこれと直交する第２コーナー部３および第３コーナー部４を有し、前記各コーナー部は、内板、中板および外板を備え、また、第１および第２コーナー部は側板を備えたコーナーパッドであって、前記コーナーパッドは、１枚の段ボール基材５で成形されており、第１コーナー部２の中板２ｂ、第２コーナー部３の内板３ａ、側板３ｄ、外板３ｃおよび中板３ｂの列と、第３コーナー部４の内板４ａ、中板４ｂおよび外板４ｃ、第１コーナー部２の外板２ｃ、側板２ｄおよび内板２ａの列とから構成され、
第１コーナー部２の中板２ｂおよび第２コーナー部３の内板３ａと、第３コーナー部４の内板４ａおよび中板４ｂが離間され、第２コーナー部３の外板３ｃおよび中板３ｂと、第３コーナー部４の外板４ｃおよび第１コーナー部２の外板２ｃが一体にされ、第１コーナー部２の側板２ｄおよび内板２ａが外板２ｃから突出するように形成され、また、第２コーナー部３の外板３ｃと中板３ｂの境界は切れ目８により切断されており、
第１コーナー部２の中板２ｂと第２コーナー部３の内板３ａとの境界には、第１ハーフカット部６ａが形成され、第３コーナー部４の内板４ａと中板４ｂの境界には、第２ハーフカット部６ｂが形成され、
第２コーナー部３の内板３ａと側板３ｄの境界には第１折曲部７ａが形成され、側板３ｄと外板３ｃの境界には第２折曲部７ｂが形成され、第２コーナー部３の外板３ｃおよび中板３ｂと第３コーナー部４の外板４ｃおよび第１コーナー部２の外板２ｃの境界には第３折曲部７ｃが形成され、第３コーナー部４の中板４ｂと外板４ｃの境界には第４折曲部７ｄが形成され、外板４ｃと第１コーナー部２の外板２ｃの境界には第５折曲部７ｅが形成され、外板２ｃと側板２ｄとの境界には第６折曲部７ｆが形成され、側板２ｄと内板２ａの境界には第７折曲部７ｇが形成され、
第１コーナー部２の中板２ｂ、第２コーナー部３の内板３ａおよび側板３ｄと、第３コーナー部４の内板４ａおよび中板４ｂの間には、段ボール基材５の３枚分の厚みに相当する幅で第１切欠部９ａが形成され、また、第１コーナー部２の中板２ｂと第２コーナー部３の内板３ａ間の第１ハーフカット部６ａから内板３ａ側で第１切欠部側９ａに、段ボール基材５の２枚分の厚みに相当する幅で係止溝１０が形成され、さらに、第１コーナー部２の内板２ａには、第２コーナー部３の中板３ｂ側で側板ｄから内板２ａの端部を残すようにして、段ボール基材５の２枚分の厚みに相当する幅で第２切欠部９ｂが形成され、これにより内板２ａの端部に前記係止溝１０に嵌合される係止片１１が形成されていることを特徴とする。なお、上記構成に付加した番号は、本発明の理解を容易にするために図面と対比させるもので、これにより本発明が何ら限定されるものではない。
【０００７】
【発明の実施の形態】
以下、図面を参照しつつ本発明の実施の形態について説明する。図１〜図７は、本発明のコーナーパッドの１実施形態を示し、図１は、コーナーパッドを組立てた状態を示す斜視図である。
【０００８】
図１に示すように、本発明のコーナーパッド１は、第１コーナー部２と、この第１コーナー部２と一体に形成され且つこれと直交する第２コーナー部３および第３コーナー部４からなり、各コーナー部２、３、４の３面を被包装物のコーナー部に当接可能にしている。各コーナー部２、３、４は、３層構造にされており、それぞれ内板２ａ、３ａ、４ａ、中板２ｂ、３ｂ、４ｂ、外板２ｃ、３ｃ、４ｃを備え、また、第１コーナー部２および第２コーナー部３は、それぞれ側板２ｄ、３ｄを備えている。
【０００９】
図２は、図１のコーナーパッドを分解し広げた状態を示す斜視図である。コーナーパッド１は、１枚の段ボール基材５で成形されており、前記の各内板、中板、外板が２列で構成されている。すなわち、第１コーナー部２の中板２ｂ、第２コーナー部３の内板３ａ、側板３ｄ、外板３ｃ、中板３ｂの列と、第３コーナー部３の内板４ａ、中板４ｂ、外板４ｃ、第１コーナー部２の外板２ｃ、側板２ｄ、内板２ａの列とから構成されている。
【００１０】
そして、第１コーナー部２の中板２ｂおよび第２コーナー部３の内板３ａと、第３コーナー部４の内板４ａおよび中板４ｂが第１切欠部９ａを介して離間され、第２コーナー部３の外板３ｃおよび中板３ｂと、第３コーナー部４の外板４ｃおよび第１コーナー部２の外板２ｃが一体にされ、第１コーナー部２の側板２ｄおよび内板２ａが外板２ｃから突出するように形成されている。また、第２コーナー部３の外板３ｃと中板３ｂの境界は切れ目８により切断されている。
【００１１】
第１コーナー部２の中板２ｂと第２コーナー部３の内板３ａとの境界には、第１ハーフカット部６ａが形成され、第３コーナー部４の内板４ａと中板４ｂの境界には、第２ハーフカット部６ｂが形成されている。このハーフカット部は、段ボール基材を型抜き用の金型で段ボール基材５の厚みの半分程度に切れ目をを入れたもので、これにより、第１コーナー部２の中板２ｂと第３コーナー部の内板４ａを図で裏側方向に折曲可能にしている。
【００１２】
第２コーナー部３の内板３ａと側板３ｄの境界には第１折曲部７ａが形成され、側板３ｄと外板３ｃの境界には第２折曲部７ｂが形成され、第２コーナー部３の外板３ｃおよび中板３ｂと第３コーナー部４の外板４ｃおよび第１コーナー部２の外板２ｃの境界には第３折曲部７ｃが形成され、第３コーナー部の中板４ｂと外板４ｃの境界には第４折曲部７ｄが形成され、外板４ｃと第１コーナー部２の外板２ｃの境界には第５折曲部７ｅが形成され、外板２ｃと側板２ｄとの境界には第６折曲部７ｆが形成され、側板２ｄと内板２ａの境界には第７折曲部７ｇが形成されている。これらの折曲部は、境界に沿って段ボール基材５を型抜き用の金型で押し潰したもので、これにより、各板を図で表側方向に折曲可能にしている。
【００１３】
なお、ハーフカット部と折曲部を区別したのは、段ボール基材５の型抜き用の金型の１操作で裏側への折曲と表側への折曲を可能にするためである。
【００１４】
第１コーナー部２の中板２ｂ、第２コーナー部３の内板３ａおよび側板３ｄと、第３コーナー部４の内板４ａおよび中板４ｂの間には、段ボール基材５の３枚分の厚みに相当する幅で第１切欠部９ａが形成されている。また、第１コーナー部２の中板２ｂと第２コーナー部３の内板３ａ間の第１ハーフカット部６ａから内板３ａ側で第１切欠部９ａ側に、段ボール基材５の２枚分の厚みに相当する幅で係止溝１０が形成されている。さらに、第１コーナー部２の内板２ａには、中板３ｂ側で側板３ｃから内板２ａの端部を残すようにして、段ボール基材５の２枚分の厚みに相当する幅で第２切欠部９ｂが形成され、これにより内板２ａの端部に係止片１１が形成されている。
【００１５】
次に、各板の大きさについて説明する。第１コーナー部２の外板２ｃと第３コーナー部４の外板４ｃは、正方形で同じ大きさである。第２コーナー部３の外板３ｃと中板３ｂ間の切れ目８は、第１コーナー部２の外板２ｃと第３コーナー部４の外板４ｃ間の第５折曲部７ｅより、段ボール基材５の１枚分の厚みに相当する幅で中板３ｂ側に形成されている。第２折曲部７ｂと第４折曲部７ｄは直線上で一致し、第６折曲部７ｆは中板３ｂの端部に一致し、側板２ｄ、３ｄは、段ボール基材５の３枚分の厚みに相当する幅で形成されている。第１コーナー部２の内板２ａのＸ方向の幅は、外板２ｃの幅より段ボール基材５の２枚分の厚みより小さい。第３コーナー部４の中板４ｂおよび内板４ａのＸ方向の幅は、外板４ｃの幅より段ボール基材５の１枚分の厚みより小さい。第２コーナー部３の内板３ａのＸ方向の幅は、中板４ｂの幅と等しく、中板２ｂのＸ方向の端部と内板４ａの端部は一致している。
【００１６】
図３〜図７は、上記構成からなるコーナーパッドの組立て順序を説明するための図である。先ず、図３に示すように、第２コーナー部３の中板３ｂを第１コーナー部２の外板２ｃに対して垂直に折曲し、次に、図４に示すように、第２コーナー部３の外板３ｃ側および第３コーナー部４の外板４ｃ側を垂直に折曲し、第３コーナー部４の中板４ｂを外板４ｃに重ねるように折曲し、さらに、内板４ａを中板４ｂに重ねるように折曲して、中板４ｂおよび内板４ａを外板４ｃに重ねる。
【００１７】
次に、図５に示すように、第２コーナー部３の外板３ｃを中板３ｂに重ねるように折曲した後、側板３ｄおよび内板３ａを中板３ｂに重ねるように折曲する。次に、図６に示すように、第１コーナー部２の中板２ｂを外板２ｃに重ねるように折曲した後、図７に示すように、第１コーナー部２の側板２ｄおよび内板２ａを中板２ｂに重ねるように折曲し、最後に係止片１１を係止溝１０内に嵌合すれば、図１のコーナーパッド１が得られる。
【００１８】
図８は、本発明のコーナーパッドの他の実施形態を示し、コーナーパッドを分解し広げた状態を示す平面図である。本実施形態は、各板に折曲順序を示す数字表示するようにし、未熟者でも簡単、容易にコーナーパッドを組み立てることが可能となる。なお、数字は印刷やラベルの貼付でもよいが、段ボール基材の型抜き用の金型に針を設けておき、ミシン目のように小孔を打って数字を表示すれば、コストを更に低減することができる。
【００１９】
図９は、本発明のコーナーパッドの他の実施形態を示し、コーナーパッドを分解し広げた状態を示す平面図である。本実施形態は、各板に折曲順序を示す数字と、折曲部位を矢印で表示するようにし、例えば、１番目に折る部位は第５折曲部７ｅであることを表示し、未熟者でも更に、簡単、容易にコーナーパッドを組み立てることが可能となる。
【００２０】
【発明の効果】
以上の説明から明らかなように、本発明によれば、誰でもが１枚の段ボール基材を折り曲げて簡単に組立てることができ、かつ且つ十分な緩衝性と強度を有するコーナーパッドを提供することができる。
【図面の簡単な説明】
【図１】本発明のコーナーパッドの１実施形態を示し、コーナーパッドを組立てた状態を示す斜視図である。
【図２】図１のコーナーパッドを分解し広げた状態を示す斜視図である。
【図３】本発明のコーナーパッドの組立て順序を説明するための図である。
【図４】図３に続く図である。
【図５】図４に続く図である。
【図６】図５に続く図である。
【図７】図６に続く図である。
【図８】本発明のコーナーパッドの他の実施形態を示し、コーナーパッドを分解し広げた状態を示す平面図である。
【図９】本発明のコーナーパッドの他の実施形態を示し、コーナーパッドを分解し広げた状態を示す平面図である。
【符号の説明】
２…第１コーナー部
３…第２コーナー部
４…第３コーナー部
２ａ、３ａ、４ａ…内板
２ｂ、３ｂ、４ｂ…中板
２ｃ、３ｃ、４ｃ…外板
５…段ボール基材
６ａ、６ｂ…ハーフカット部
７ａ〜７ｇ…折曲部
８…切れ目
９ａ、９ｂ…切欠部
１０…係止溝
１１…係止片
【図１】
0004025107.tif 000002
【図２】
0004025107.tif 000003
【図３】
0004025107.tif 000004
【図４】
0004025107.tif 000005
【図５】
0004025107.tif 000006
【図６】
0004025107.tif 000007
【図７】
0004025107.tif 000008
【図８】
0004025107.tif 000009
【図９】
0004025107.tif 000010